(57)【要約】【課題】ガスメータの液晶表示部を鉛直方向に対して予め角度を付けて実装することで、あるいは、設置現場の状況に合わせて、角度調整が可能な表示部を予め実装することで、機能を確保しつつ見易い液晶表示部を備えたガスメータを提供する。【解決手段】ガスメータ１には、メカ式の指針値表示部２と液晶表示部３が内蔵されており、この液晶表示部３には、例えば、メータ状態、警告、圧力値、ガス使用量を表示している。そして、ＴＮタイプの液晶では、液晶に垂直より上方向、もしくは下方向からのコントラストが良いことから、液晶表示部３を予め鉛直方向に対して下方向に角度を付けて実装している。また、液晶表示部３の角度は外部から調整可能としている。【選択図】図１
2009281849.tif 000002
【特許請求の範囲】
【請求項１】
液晶表示部と、該液晶表示部の鉛直方向に対する角度を外部から調整するための角度調整手段とを備えたことを特徴とするガスメータ。
【請求項２】
前記調整手段が、液晶表示部の端子を伸縮させることによって前記角度を調整することを特徴とする請求項１に記載のガスメータ。
【請求項３】
鉛直方向に対して予め角度を付けて実装された液晶表示部を備えたことを特徴とするガスメータ。
【請求項４】
鉛直方向に対して下方に角度をつけて実装された液晶表示部を備えたことを特徴とするガスメータ。
【請求項５】
前記液晶表示部がＴＮ液晶からなることを特徴とする請求項１から４のいずれか１項に記載のガスメータ。
【発明の詳細な説明】
【技術分野】
【０００１】
本発明は、表示部を有するガスメータに関する。
【背景技術】
【０００２】
従来、ガスメータの表示部は、特許文献１に示されているように、基板に平行に実装してガスメータに組み込まれており、ガスメータ自体に地震を検知する感震装置を備えている場合には、基板自体を鉛直方向から角度を付けて組み込んだり、メータ自体を傾けて設置したりすることは、機能上できなかった。このため、ガスメータの表示部は、ほぼ鉛直方向に設置されていた。
図７はこのような従来のガスメータの例を示すもので、ガスメータ１１はメカ式の検針値表示部１２と液晶表示部１３を備えており、液晶表示部１３は基板１４に対して平行、すなわち鉛直方向に実装されている。
【０００３】
そして、表示部として液晶を用いた場合には、図８のコントラスト曲線で示すように、液晶の特性として、視野角は一方向のコントラストが良であるため、ガスメータを正面から見た場合には、上下方向どちらか一方からのコントラストが良となり、また、角度が大きいほどコントラストは低下する。図８では、コントラストが３以上の視認性が良好な部分をハッチングで示してある。このため、メカ式の検針値表示部１２よりも液晶表示部１３の方が視野角によって視認性が大きく影響を受けることになる。
例えば、ガスメータが目線より高い位置に設置されている場合、下方向のコントラストが良であるように液晶表示部を製造した場合でも、目線と表示部の角度が大きくなるほど見づらくなってしまうという問題があった。
また、設置高さを調整することが困難な現場もあり、液晶表示部が最も見易い高さに設置できないという問題もあった。
【特許文献１】特開２００６−１４５３２２号公報
【発明の開示】
【発明が解決しようとする課題】
【０００４】
本発明は、上記のような実情に鑑みてなされたものであり、ガスメータの液晶表示部を鉛直方向に対して予め角度を付けて実装することにより、あるいは、設置現場の状況に合わせて、角度調整が可能な表示部を予め実装することにより、ガスメータとしての機能を確保しつつ現状より見易い表示部を備えたガスメータを提供することをその目的とする。
【課題を解決するための手段】
【０００５】
請求項１の発明は、液晶表示部と、該液晶表示部の鉛直方向に対する角度を外部から調整するための角度調整手段とを備えたことを特徴としたものである。
【０００６】
請求項２の発明は、請求項１の発明において、前記調整手段が、液晶表示部の端子を伸縮させることによって前記角度を調整することを特徴としたものである。
【０００７】
請求項３の発明は、鉛直方向に対して予め角度を付けて実装された液晶表示部を備えたことを特徴としたものである。
【０００８】
請求項４の発明は、鉛直方向に対して下方に角度をつけて実装された液晶表示部を備えたことを特徴としたものである。
【０００９】
請求項５の発明は、請求項１から４のいずれかの発明において、前記液晶表示部がＴＮ液晶からなることを特徴としたものである。
【発明の効果】
【００１０】
ガスメータが設置される高さに応じて、予め鉛直方向に対して角度を付けて実装された液晶表示部を備えているので表示が見易いという効果がある。
また、角度調整が可能な液晶表示部及び、液晶表示部の角度を外部から調整可能な表示部角度調整手段を備えているため、設置の高さに応じて見易い角度調整が出来るという効果がある。
【発明を実施するための最良の形態】
【００１１】
図６はガスメータの位置による検針員に対する視認性を説明するための図である。
ガスメータ１の設置位置は、ガスボンベのサイズや検針員の身長によるが、液晶表示部３は、目線より上方に設置されることが考えられるためメータ下方から見やすい方が好ましい。
例えば、５０ｋｇボンベの場合、検針員目線が１５０ｃｍで、ガスメータ１から５０ｃｍ離れたところから表示を確認した場合、液晶表示部３の位置は最低１６０ｃｍ程度であり、その場合、コントラストが良好な範囲（−１０°〜＋３０°）で視認できるが、液晶表示部３の高さが１８０ｃｍ  を越えるとコントラストが良好な範囲（−１０°〜＋３０°）を越えてしまう。このことから液晶表示部３を０°〜２０°鉛直方向に対して下方に向けるか、あるいは角度調整できることが好ましい。
【００１２】
図１、２は、本発明の一実施形態実施形態に係るガスメータを示す図であり、図３は他の実施形態に係るガスメータを示す図である。
ガスメータ１には、メカ式の指針値表示部２と液晶表示部３（具体的な一例として、ＴＮタイプ液晶）が内蔵されている。
この液晶表示部３は、例えば、メータ状態、警告、圧力値、ガス使用量を表示するためのものであって、基板４に実装されている。
また、この液晶表示部３の前面の筐体には窓が設けられており、この窓に液晶表示部用ガラス５が設けられている。
【００１３】
ここで、液晶表示部３にＴＮ（Twisted Nematic）タイプの液晶を用いた場合、図８に示すように、液晶に垂直（０°）より上方向、もしくは下方向からのコントラストが良いという特徴があり、図８では、上方向（−１０°〜＋３０°）のコントラストが良であることを示している。
このため、液晶表示部３を予め鉛直方向に対して、図１、２で示すように下向きに角度を付けて実装している。
なお、場合によっては、図３に示すように液晶表示部３を鉛直方向に対して上向きに方向に角度を付けて実装することも可能である。
【００１４】
図４は、更に他の実施形態に係るガスメータを示す図である。
液晶表示部３の上下両端部の端子６を可撓性のある材料から構成し、それぞれに撓み部７を設けることによって、液晶表示部３の鉛直方向に対する角度調整を可能としている。
ここで、端子６はその一端が基板４に、他端が液晶表示部３に電気的に接続されおり、基板４に設けられた図示しない液晶駆動回路からの信号を液晶表示部３に伝えている。
そして、例えば、ガスメータ１を設置する際に、液晶表示部３の下部を押すことにより、撓み部７が縮み、液晶表示部３を鉛直方向に対して下向きにすることができる。同様に、液晶表示部３の上部を押すことによって液晶表示部３を上向きに設置することも可能となっている。
【００１５】
図５は、更に他の実施形態に係るガスメータを示す図であり、液晶表示部３の上部の端子６に弾性のある材質（具体的には、リン青銅）を用い、ばね部８を形成することよって、端子６が伸縮自在となるように変形させたものである。他方、液晶表示部３の下方は、回動可能となるように実装している。
そして、液晶表示部３の上部に接触し、かつ、ガスメータ１の筐体外部から操作可能な可動部（つまみ）９を設けている。
この可動部９にはネジが設けられており、可動部９を回すことによって液晶表示部３の上部がばね部８の伸縮によって移動するため、液晶表示部３の角度調整を外部から行うことができる。
したがって、検針員は、可動部９を回転させることで液晶表示部３が視認し易い角度に微調整することができる。
【００１６】
なお、図５に示す実施形態では、液晶表示部３の角度調整手段として、端子６に形成したばね部８とネジを有する可動部９からなる機構のものを示したが、液晶表示部３の角度位置を調整できるものであれば他の機構を用いてもよい。
【図面の簡単な説明】
【００１７】
【図１】本発明の一実施形態に係るガスメータを示す図である。
【図２】図１に示したガスメータの液晶表示部を示す図である。
【図３】本発明の他の実施形態に係るガスメータの液晶表示部を示す図である。
【図４】本発明の更に他の実施形態に係るガスメータの液晶表示部を示す図である。
【図５】本発明の更に他の実施形態に係るガスメータの液晶表示部の角度調整手段を示す図である。
【図６】図６はガスメータの位置による検針員に対する視認性を説明するための図である。
【図７】従来のガスメータを示す図である。
【図８】液晶のコントラスト曲線を示す図である。
【符号の説明】
【００１８】
１，１１…ガスメータ、２，１２…メカ式の指針値表示部、３，１３…液晶表示部、４，１４…基板、５…液晶表示部用ガラス、６…端子、７…撓み部、８…弾性部。
【図１】
2009281849.tif 000003
【図２】
2009281849.tif 000004
【図３】
2009281849.tif 000005
【図４】
2009281849.tif 000006
【図５】
2009281849.tif 000007
【図６】
2009281849.tif 000008
【図７】
2009281849.tif 000009
【図８】
2009281849.tif 000010